(57)【要約】【課題】  画像形成装置の自動原稿搬送装置部分、又は、自動原稿搬送装置の原稿が載置される原稿載置台部分の前後へ移動、回転、又は、設置角度変更を可能とし、操作性を向上させた画像形成装置を提供する。【解決手段】  画像形成装置１の自動原稿搬送装置部分２、又は、自動原稿搬送装置の原稿が載置される原稿載置台３の前後への移動、回転、又は、設置角度変更を可能とすることで、操作性の向上を図っている。さらに、自動原稿搬送装置部分２、又は、原稿載置台部分３が所定の位置から移動している場合は、画像形成動作を禁止し、未接続による誤コピーを防止することができる。なお、自動原稿搬送装置部分２、又は、原稿載置台部分３が所定に位置にない場合に、画像形成動作が指示されると、警告等が発せられる。【選択図】  図１
2005142734.tif 000002
【特許請求の範囲】
【請求項１】
自動原稿搬送装置を備えた画像形成装置において、
自動原稿搬送装置部分、又は、自動原稿搬送装置の原稿が載置される原稿載置台部分を上下前後に稼働する手段と、
前記自動原稿搬送装置部分、又は、前記自動原稿搬送装置の原稿が載置される原稿載置台部分を水平方向に回転する手段と、
前記自動原稿搬送装置部分、又は、前記自動原稿搬送装置の原稿が載置される原稿載置台部分の設置角度を水平方向に対して所定の角度の範囲内で変更する手段とを有することを特徴とする画像形成装置。
【請求項２】
前記自動原稿搬送装置部分、又は、前記自動原稿搬送装置の原稿が載置される原稿載置台部分を引き出したとき、
前記自動原稿搬送装置部分、又は、前記自動原稿搬送装置の原稿が載置される原稿載置台部分を水平方向に回転する手段と、
前記自動原稿搬送装置部分、又は、前記自動原稿搬送装置の原稿が載置される原稿載置台部分の設置角度を水平方向に対し所定の角度の範囲内で変更する手段とを有する事を特徴とする請求項１記載の画像形成装置。
【請求項３】
前記自動原稿搬送装置部分又は前記原稿載置台部分の位置を検知する検知手段を有することを特徴とする請求項１又は２記載の画像形成装置。
【請求項４】
前記検知手段により前記自動原稿搬送装置部分、又は、前記自動原稿搬送装置の原稿が載置される原稿載置台部分が前記所定の設置位置にないことが検知されたとき、画像形成動作を禁止する禁止手段を有することを特徴とする請求項３記載の画像形成装置。
【請求項５】
前記検知手段により前記自動原稿搬送装置部分、又は、前記自動原稿搬送装置の原稿が載置される原稿載置台部分が前記所定の設置位置が検知されないとき、前記画像形成動作を禁止する警告音を発する手段と、
前記画像形成動作を禁止する警告を表示する手段と、
前記画像形成動作の禁止を解除する手順を表示する手段とを有することを特徴とする請求項３記載の画像形成装置。
【請求項６】
原稿のサイズを決定するために、前記自動原稿搬送装置の原稿が載置される原稿載置台部分のサイドフェンスの位置を入力装置からの情報に応じて移動する移動手段を有することを特徴とする請求項１から５のいずれか１項に記載の画像形成装置。
【請求項７】
前記移動手段により前記サイドフェンスの位置の移動が行われているとき、前記原稿の位置を検知する手段を有することを特徴とする請求項６記載の画像形成装置。
【請求項８】
前記原稿の位置を検知する手段により原稿の位置が検知されたとき、前記移動を停止する手段を有することを特徴とする請求項７記載の画像形成装置。
【発明の詳細な説明】
【技術分野】
【０００１】
本発明は、自動原稿搬送装置部分、又は、自動原稿搬送装置の原稿が載置される原稿載置台部分の所定の位置からの移動を可能とした画像形成装置に関する。
【背景技術】
【０００２】
画像形成装置等のＯＡ機器においては、健常者の操作性の観点から、自動原稿搬送装置部分、又は、原稿載置台部分の適正の高さは地上から９０ｃｍから１００ｃｍ程度であるとされている。これは身長１５０ｃｍ程度以上の人が立位にて原稿のセットや操作パネルの操作を容易に行うためである。しかし、オフィスフロア−に設置され、共同使用されるタイプの装置は健常者の操作性のみを考慮した高さとなっているため、車椅子を使用している人等の特別な制約をもった操作者にとって、操作性が悪いものとなっていた。
【０００３】
特許文献１では、自動原稿搬送装置の側面部に調整レバー及び操作目安となる指標を設け、比較的低い視点からでもシートのサイズに対応して適切にサイドフェンスの移動を行うことができ、低身長者や車椅子に座った操作者の如き低視点の者もこれを容易に目視及び操作できる自動原稿搬送装置を提案している。
【０００４】
特許文献２では、画像読取周期内で直接画像読取動作に寄与しない損失時間をできるだけ短縮して全体の画像読取動作の高速化を図ると共に、その操作性を向上させたＡＤＦ搭載の画像読取装置を提案している。
【０００５】
特許文献３では、小さなサイズの原稿でも片側基準で分離給送可能とすることにより、取扱可能な原稿サイズの制限をなくし、適応性を向上させた片側基準で原稿を分離給送原稿送り装置を提案している。
【０００６】
特許文献４では、余分なスペースを必要とすることなく搬送路を露出できるようにするとともに、詰まった原稿の除去作業スペースを十分に確保し、除去作業性を向上させた自動原稿搬送装置、自動原稿処理システム、及び、自動原稿搬送装置の運転操作方法を提案している。
【特許文献１】特開平６−１５６７５１号公報
【特許文献２】特開平５−１９７２３８号公報
【特許文献３】特開２０００−３５１４５２号公報
【特許文献４】特開２０００−１２４４号公報
【発明の開示】
【発明が解決しようとする課題】
【０００７】
従来技術は、自動原稿搬送装置の側面部に調整レバー及び操作目安となる指標を設け、比較的低い視点からでもシートのサイズに対応して適切にサイドフェンスの移動を行うことができ、低身長者や車椅子に座った操作者の如き低視点の者もこれを容易に目視及び操作できるものであった。
【０００８】
しかし、調整レバーに手が届かない場合には操作が行えないことや、調整レバーの位置が見えず場所がわからない場合には操作が困難であるという問題点がある。さらに、自動原稿搬送装置部分、又は、自動原稿搬送装置の原稿が載置される原稿載置部分が移動、又は回転することはできない。
【０００９】
なお、特許文献２から４において、自動原稿搬送装置を有する画像形成装置の操作性を向上させた発明がなされているが、自動原稿搬送装置部分、又は原稿載置台部分を操作者が容易に操作可能な位置に移動する手段は提案されていない。
【００１０】
そこで、本発明は、低身長者や車椅子に座った操作者が、自動原稿搬送装置部分、又は、原稿載置台部分自体を容易に操作できる位置に移動させることができる画像形成装置を提供することを目的とする。
【課題を解決するための手段】
【００１１】
請求項１記載の画像形成装置は、自動原稿搬送装置を備えた画像形成装置において、自動原稿搬送装置部分、又は、自動原稿搬送装置の原稿が載置される原稿載置台部分を上下前後に稼働する手段と、前記自動原稿搬送装置部分、又は、前記自動原稿搬送装置の原稿が載置される原稿載置台部分を水平方向に回転する手段と、前記自動原稿搬送装置部分、又は、前記自動原稿搬送装置の原稿が載置される原稿載置台部分の設置角度を水平方向に対して所定の角度の範囲内で変更する手段とを有することを特徴とする。
【００１２】
請求項２記載の発明は、請求項１記載の画像形成装置において、前記自動原稿搬送装置部分、又は、前記自動原稿搬送装置の原稿が載置される原稿載置台部分を引き出したとき、前記自動原稿搬送装置部分、又は、前記自動原稿搬送装置の原稿が載置される原稿載置台部分を水平方向に回転する手段と、前記自動原稿搬送装置部分、又は、前記自動原稿搬送装置の原稿が載置される原稿載置台部分の設置角度を水平方向に対し所定の角度の範囲内で変更する手段とを有することを特徴とする。
【００１３】
請求項３記載の発明は、請求項１又は２記載の画像形成装置において、前記自動原稿搬送装置部分又は前記原稿載置台部分の位置を検知する検知手段を有することを特徴とする。
【００１４】
請求項４記載の発明は、請求項３記載の画像形成装置において、前記検知手段により前記自動原稿搬送装置部分、又は、前記自動原稿搬送装置の原稿が載置される原稿載置台部分が前記所定の設置位置にないことが検知されたとき、画像形成動作を禁止する禁止手段を有することを特徴とする。
【００１５】
請求項５記載の発明は、請求項３記載の画像形成装置において、前記検知手段により前記自動原稿搬送装置部分、又は、前記自動原稿搬送装置の原稿が載置される原稿載置台部分が前記所定の設置位置が検知されないとき、前記画像形成動作を禁止する警告音を発する手段と、前記画像形成動作を禁止する警告を表示するする手段と、前記画像形成動作の禁止を解除する手順を表示する手段とを有することを特徴とする。
【００１６】
請求項６記載の発明は、請求項１から５のいずれか１項に記載の画像形成装置において、原稿のサイズを決定するために、前記自動原稿搬送装置の原稿が載置される原稿載置台部分のサイドフェンスの位置を入力装置からの情報に応じて移動する移動手段を有することを特徴とする。
【００１７】
請求項７記載の発明は、請求項６記載の画像形成装置において、前記移動手段により前記サイドフェンスの位置の移動が行われているとき、前記原稿の位置を検知する手段を有することを特徴とする。
【００１８】
請求項８記載の発明は、請求項７記載の画像形成装置において、前記原稿の位置を検知する手段により原稿の位置が検知されたとき、前記移動を停止する手段を有することを特徴とする。
【発明の効果】
【００１９】
本発明を適用した画像形成装置は、自動原稿搬送装置部分、又は自動原稿搬送装置の原稿が載置される原稿載置台部分の所定の位置から上下前後へ移動、水平方向への回転、また設置角度を水平方向に対して所定の角度の範囲内で変更を可能にし、低身長者や車椅子に座った操作者の如き低視点の者の操作を容易にする。
【発明を実施するための最良の形態】
【００２０】
本発明は、画像形成装置の自動原稿搬送装置部分、又は、原稿載置台部分の前後移動、回転、及び、設置角度変更を可能とし、低身長者や車椅子に座った操作者のような低視点の者も容易に装置を操作できる。さらに、本発明を適用した画像形成装置は、自動原稿搬送装置部分、又は、原稿載置台部分を前後移動等させた際、適正な画像形成動作の実施を維持し、出力画像の不良を防止する。
【実施例１】
【００２１】
図１から図６は、本発明を適用した画像形成装置の自動原稿搬送装置部分、及び、原稿載置台部分に前後移動動作、上下移動動作、回転動作、又は、設置角度変更動作が行われた状態を示す図である。なお、それぞれの図は画像形成装置の右側面を示す図である。図１から６に示す画像形成装置は、装置本体１、自動原稿搬送装置２（以下ＡＤＦと称す）、自動原稿搬送装置の原稿が載置される原稿載置台３（以下原稿載置台と称す）、及び、サイドフェンス４から成る。なお、図１０において示すセンサ部６も画像形成装置に含まれる。
【００２２】
図１に示すように、ＡＤＦ２は、レール等に沿って前後に可動する仕組みになっており、更に上下にも可動する仕組みになっている。したがって、低身長者や車椅子に座った操作者等の低視点の者も容易に自動原稿搬送装置２に原稿をセットすることができる。
【００２３】
図２は、ＡＤＦ２を水平方向に回転させた様子を示している。図２に示すようにＡＤＦ２を水平方向に回転させると、操作者がＡＤＦ２を手前に引き出さなくても原稿載置台３に手は届くが、原稿がセットし難いとき、ＡＤＦ２を９０度回転可能とすることで、容易に原稿セット、及び、取り出せるようになる。なお、図２に示す状態から、ＡＤＦ２に上下移動動作、前後移動動作、又は、設置角度変更動作を加えることも可能である。
【００２４】
図３は、ＡＤＦ２の設置角度を水平方向に対し、０から９０度の範囲内で変更したときの図である。容易にＡＤＦ２に原稿をセットできるが、セット面の確認が困難な時にＡＤＦ２の設置角度を変化させることで、容易にＡＤＦ２に原稿をセット、取り出し、及び確認をすることができる。
【００２５】
なお、図３に示す状態から、ＡＤＦ２に上下移動動作、前後移動動作、又は、回転動作を加えることも可能である。図４は、ＡＤＦ２を水平方向に９０度回転し、更に設置角度を変更して使用するときの図であり、容易に原稿をＡＤＦ２にセット、又は、取り出しが可能となる。
【００２６】
また、ＡＤＦ２全体を上下移動、前後移動、回転、又は、設置角度変更する必要はなく、原稿載置台３のみが上述のような動作をする構造であってもよい。図５は、原稿載置台３のみに前後移動動作や上下移動動作を加えた状態を示している。なお、ＡＤＦ２の場合と同様に、原稿載置台３に前後移動動作、又は、上下移動動作を加えた後に、回転動作、設置角度変更動作を加えることも可能である。
【００２７】
図６は、原稿載置台３に回転動作、及び、設置角度変更動作を加えた状態を示している。なお、原稿載置台２に回転動作や設置角度変更動作を加えた後、さらに上下移動動作や前後移動動作を加えることも可能である。
【００２８】
以上に述べたように、図１に示す本発明の実施例においては、低身長者や車椅子に座った操作者の如き低視点の者が容易に自動原稿搬送装置に原稿をセットすることができる。また、図２の実施例では自動原稿搬送装置を手前に引き出さなくても原稿載置台に手は届くが、原稿がセットしにくい時などに、図２のように自動原稿搬送装置の部分を９０度回転させることにより容易に原稿をセット、取り出しすることができる。図３の実施例では、比較的容易に自動原稿搬送装置に原稿をセットできるが、セット面を確かめるのが困難な時、またはセット面を確かめたい時に設置角度を変更することによってより容易に自動原稿搬送装置に原稿をセット、取り出し及び確認することができる。
【００２９】
また、図４のように自動原稿搬送装置を水平方向に９０度回転し、更に設置角度を変更して使用することによっても容易に原稿を自動原稿搬送装置にセット、取り出しすることができる。さらに、図５、又は、図６に示すように原稿載置台のみが移動、回転、及び、設置角度変更を行えば、同じように操作性は向上する。
【実施例２】
【００３０】
図７、及び、図８を用い、実施例１において説明した画像形成装置が有するＡＤＦ２、又は、原稿載置台３の移動、回転、及び、設置角度変更の３種類の動作に加え、ＡＤＦ２を前部に引き出した状態においても、ＡＤＦ２を水平方向に自在に回転、設置角度を水平方向に対して所定の角度の範囲内で変更できる画像形成装置について説明する。
【００３１】
図７は、ＡＤＦ２全体を手前に引き出し、水平方向に９０度回転させ、設置角度を変更した様子を示す図である。なお、図７は、ＡＤＦ２全体を手前に引き出した例を示しているが、原稿載置台３のみを引き出した場合においても、同様の動作が可能である。一方、図８は、図７と同様にＡＤＦ２全体を手前に引き出したまま、図７とは逆に９０度回転させ、設置角度を９０度変更した様子を示している。なお、図８は、ＡＤＦ２全体を手前に引き出した例を示しているが、原稿載置台３のみを引き出した場合においても、同様の動作が可能である。
【００３２】
図７及び８に示すように、自動原稿搬送装置部分、又は、原稿載置台部分の動作変更を実現することにより、低身長者や、車椅子に座った操作者の如き低視点の者もより容易にＡＤＦ２に原稿をセットすることができ、操作性が向上する。
【実施例３】
【００３３】
次に、実施例１及び２において説明した画像形成装置において、ＡＤＦ２全体、又は、原稿載置台３が前後移動、上下移動、回転、又は、設置角度の変更を行っていて正常に画像形成動作が行えない状態である時、画像形成動作を禁止する処理について説明する。
【００３４】
まず、ＡＤＦ２全体、又は、原稿載置台３の前後移動、上下移動、回転、又は、設置角度変更の動作が終了し、ＡＤＦ２全体または原稿載置台３がコピー動作を正常に行うことができる位置にくると、ドロアコネクタなどによって画像形成装置本体１に接続される、又は、センサなどによってその位置を感知する。そして、本体側でＡＤＦ２全体または原稿載置台３が本体にセットされていること、又は、所定の位置にあることを検知し、画像形成動作可能状態とする。もし、画像形成動作禁止状態時に画像形成動作をスタートさせようとすると、警告音、又は、ディスプレイに警告の表示等が行われ、使用者にコピー可能状態に戻す手順を知らせる。なお、画像形成動作禁止状態であっても、画像の読取が禁止されるだけであって、例えばプリンタとして使う場合には、その機能は果たす構造となっている。
【００３５】
図９は、実施例１から３において説明した画像形成装置に、自動原稿搬送装置の原稿が載置される原稿載置台３で、原稿サイズを決定するサイドフェンス４の位置を電気的に変更できる機能が付加された画像形成装置の操作部を示している。
【００３６】
図９に示すように、原稿載置台３で原稿サイズを決定するサイドフェンス４の位置決めを操作部で行えるようにボタン５を装着すると、ワンタッチでサイドフェンス４の位置を変更できる仕組みとなっている。サイドフェンス４の位置変更は常時することができ、例えば図７の状態で原稿をセットした後、画像形成動作スタート時にこの位置決めのスイッチ５を押してもよい。
【００３７】
原稿サイズに合うようにサイドフェンス４が移動していないと、画像形成動作が開始できない仕組みになっており、センサ部６が原稿の存在を検知するとサイドフェンス４の移動は停止する。したがって、サイドフェンス４の位置を気にすることなく、原稿をセットでき、仮に操作部において選択できない原稿サイズの原稿を原稿載置台３に挿入しても容易に画像形成動作を開始することができる。
【００３８】
本発明は、特許文献１のように自動原稿搬送装置部分で機械的にサイドフェンスの位置を変更するのではなく、入力装置からの情報に応じてサイドフェンスの移動が可能なため、低身長者や車椅子に座った操作者の如き低視点の者にとってより操作が容易になる。
【００３９】
図１１は、本発明を適用した画像形成装置のサイドフェンス４の移動を制御する電気的な処理の実施例を示すフローチャートである。まず、ＡＤＦ２に原稿がセットされているかどうかを検知し（ステップＳ１）、使用者がサイドフェンス移動のスイッチ５を押す（ステップＳ２）。そして、両方のサイドフェンス４にそれぞれ設置されているセンサ部６が原稿を検知するとサイドフェンス４が停止する（ステップＳ３／ＹＥＳ）。もし原稿がセットされずにサイドフェンス移動スイッチを押すと、サイドフェンス４のセンサ部６が原稿を検知することができず、警告を発し、ステップＳ１からやり直しとなる（ステップＳ３／ＮＯ）。サイドフェンス４が原稿を検知した後、ＡＤＦ２の移動、回転、設置角度変更等の動作をしていたＡＤＦ２が所定の位置にあることを検知し（ステップＳ４／ＹＥＳ）、コピー可能状態となり（ステップＳ５）、コピー動作が開始される（ステップＳ６）。なお、ＡＤＦ２が所定の位置にあることが検知できなかった場合は（ステップＳ４／ＮＯ）、センサ部６が原稿を検知できなかった場合と同様に（ステップＳ３／ＮＯ）、ステップＳ１からのやり直しになる（ステップＳ４／ＮＯ）。
【図面の簡単な説明】
【００４０】
【図１】本発明を適用した画像形成装置の自動原稿搬送装置部分を前後に移動させた状態を示す図である。
【図２】本発明を適用した画像形成装置の自動原稿搬送装置部分を水平方向に９０度回転させた状態を示す図である。
【図３】本発明を適用した画像形成装置の自動原稿搬送装置部分の設置角度を水平方向に対し、０から９０度の範囲で変更した状態を示す図である。
【図４】本発明を適用した画像形成装置の自動原稿搬送装置部分を水平方向に９０度回転させ、且つ、設置角度を変更した状態を示す図である。
【図５】本発明を適用した画像形成装置の原稿載置台部分のみを前後に移動させた状態を示す図である。
【図６】本発明を適用した画像形成装置の原稿載置台部分のみの設置角度を水平方向に対し、０から９０度の範囲で変更した状態を示す図である。
【図７】本発明を適用した画像形成装置の自動原稿搬送装置部分を前後に移動させ、水平方向に９０度回転させ、設置角度を変更した状態を示す図である。
【図８】本発明を適用した画像形成装置の自動原稿搬送装置部分を前後に移動させ、水平方向に９０度回転させ、設置角度を９０度変更した状態を示す図である。
【図９】本発明を適用した画像形成装置のサイドフェンスの動作を制御する操作部を示す外観図である。
【図１０】本発明を適用した画像形成装置の自動原稿搬送装置部分の真上からの外観図である。
【図１１】本発明を適用した画像形成装置のサイドフェンスの移動処理を示すフローチャートである。
【符号の説明】
【００４１】
１    画像形成装置本体
２    ＡＤＦ
３    原稿載置台
４    サイドフェンス
５    スイッチ
６    センサ部
【図１】
2005142734.tif 000003
【図２】
2005142734.tif 000004
【図３】
2005142734.tif 000005
【図４】
2005142734.tif 000006
【図５】
2005142734.tif 000007
【図６】
2005142734.tif 000008
【図７】
2005142734.tif 000009
【図８】
2005142734.tif 000010
【図９】
2005142734.tif 000011
【図１０】
2005142734.tif 000012
【図１１】
2005142734.tif 000013